(57)【要約】【課題】多様なベッドボード等の厚さに対応して、取り付けることが可能な容器保持具の提供。【解決手段】被取付体に吊り下げて取り付ける容器保持具において、容器保持具１は、基体３と、基体３から延びる容器保持具１を被取付体に吊り下げるための第１フック５および第２フック７と、基体３に設けられた容器保持部９とを備え、第１フック５および第２フック７は、それぞれ基体３側に形成されたフック基端部５１、７１と、フック５、７の先端側に形成された垂下部５５、７５とを含み、第１フック５および第２フック７は、それぞれフック基端部５１、７１を中心に弾性的に揺動可能となっており、各垂下部５５、７５と基体３との間に被取付体が弾性力により挟持されるようになっていることを特徴とする。【選択図】図１
0003151726.tif 000002
【実用新案登録請求の範囲】
【請求項１】
被取付体に吊り下げて取り付ける容器保持具において、
該容器保持具（１）は、基体（３）と、該基体（３）から延びる前記容器保持具（１）を前記被取付体に吊り下げるための第１フック（５）および第２フック（７）と、前記基体（３）に設けられた容器保持部（９）とを備え、
前記第１フック（５）および前記第２フック（７）は、それぞれ前記基体（３）側に形成されたフック基端部（５１、７１）と、前記フック（５、７）の先端側に形成された垂下部（５５、７５）とを含み、
前記第１フック（５）および前記第２フック（７）は、それぞれ前記フック基端部（５１、７１）を中心に弾性的に揺動可能となっており、
前記各垂下部（５５、７５）と前記基体（３）との間に前記被取付体が弾性力により挟持されるようになっていることを特徴とする容器保持具。
【請求項２】
前記弾性力は、前記フック基端部（５１、７１）のねじり弾性により発生することを特徴とする請求項１に記載された容器保持具。
【請求項３】
前記容器保持具（１）は、折曲された一本の線材からなることを特徴とする請求項１から請求項２までのいずれか１項に記載された容器保持具。
【請求項４】
前記線材が金属製であることを特徴とする請求項３に記載された容器保持具。
【請求項５】
前記容器保持具（１）は、容器を収容するための容器受け（８）をさらに備え、前記容器受け（８）には凹部が設けられ、前記容器保持部（９）が凸部を有し、前記凹部と前記凸部とが嵌合するようになっていることを特徴とする請求項１から請求項４までのいずれか１項に記載された容器保持具。
【請求項６】
前記垂下部（５５、７５）が、直線の線材であることを特徴とする請求項１から請求項５までのいずれか１項に記載された容器保持具。
【請求項７】
前記容器保持具（１）は、手指消毒液を収容した容器を保持することを特徴とする請求項１から請求項６までのいずれか１項に記載された容器保持具。
【請求項８】
前記被取付体は、ベッドボード又はベッドの手すりであることを特徴とする請求項１から請求項７までのいずれか１項に記載された容器保持具。
【考案の詳細な説明】
【技術分野】
【０００１】
本考案は、容器を保持する器具に関するものであり、とりわけ医療機関等で使用される容器をベッドの手すり又はベッドボード等の被取付体に保持する器具に係るものである。
【背景技術】
【０００２】
病院等では、手指消毒液等を収容した容器は、ベッド周辺で使用するために、床頭台などに置かれることが多い。また、ベッドの手すり、ベッドのヘッドボード、またはフットボードなどに吊り下げて容器を保持するために、容器を保持する容器保持部と所定場所に取り付けるための取り付け部とからなる器具もある。従来の器具の取り付け部は、単にフック状に湾曲させて形成されたものが多い。
【考案の概要】
【考案が解決しようとする課題】
【０００３】
しかし、容器を床頭台に置くことは、台上の使用スペースを狭め、また、接触等により容器を床へと落下させるという問題がある。また、取り付け部をフック状に湾曲させて形成し、ベッドボード等に単に吊り下げて取り付ける器具の場合には、ベッドボード等の厚さは多様であるため、各厚さに対応した取り付け器具をそれぞれ作製しなければならないという問題がある。
本考案の目的は、多様なベッドボード等の厚さに対応して、取り付けることが可能な容器保持具を提供することである。
【課題を解決するための手段】
【０００４】
かかる目的の下で、本考案によれば、以下の構成を有する容器保持具が提供される。
被取付体に吊り下げて取り付ける容器保持具において、
該容器保持具は、基体と、該基体から延びる前記容器保持具を前記被取付体に吊り下げるための第１フックおよび第２フックと、前記基体に設けられた容器保持部とを備え、
前記第１フックおよび前記第２フックは、それぞれ前記基体側に形成されたフック基端部と、前記フックの先端側に形成された垂下部とを含み、
前記第１フックおよび前記第２フックは、それぞれ前記フック基端部を中心に弾性的に揺動可能となっており、
前記各垂下部と前記基体との間に前記被取付体が弾性力により挟持されるようになっていることを特徴とする容器保持具。
【０００５】
前記容器保持具は、以下の形態で提供可能である。
（１）前記弾性力は、前記フック基端部のねじり弾性（横弾性）により発生することを特徴とする容器保持具。
（２）前記容器保持具は、折曲された一本の線材からなることを特徴とする容器保持具。
（３）前記線材が金属製であることを特徴とする容器保持具。
（４）前記容器保持具は、容器を収容するための容器受けをさらに備え、前記容器受けには凹部が設けられ、前記容器保持部が凸部を有し、前記凹部と前記凸部とが嵌合するようになっていることを特徴とする容器保持具。
（５）前記垂下部が、直線の線材であることを特徴とする容器保持具。
（６）前記容器保持具は、手指消毒液を収容した容器を保持することを特徴とする容器保持具。
（７）前記被取付体は、ベッドボード又はベッドの手すりであることを特徴とする容器保持具。
【考案の効果】
【０００６】
本考案の容器保持具の構成によれば、第１フックおよび第２フックが弾性力を伴って揺動可能であるため、ベッドボード等の厚さに関係なく取り付けることが可能である。さらに、取り付け及び取り外しが簡単であり、かつ構成の簡単な容器保持具を提供できるという効果を奏する。
【図面の簡単な説明】
【０００７】
【図１】本考案の一実施例に係る容器保持具の斜視図。
【図２】図１に示す容器保持具に嵌合する容器受けの斜視図。
【図３】図１に示す容器保持具を、ベッドボードに取り付ける際の動きを示す平面図。
【図４】図１に示す容器保持具を、手指消毒液を収納した容器を保持し、ベッドボードに取り付けた状態で示す斜視図。
【実施例】
【０００８】
図１は、本考案の一実施例に係る容器保持具１の斜視図である。容器保持具１は、基体３、第１フック５、第２フック７、および容器保持部９から構成されている。
【０００９】
本明細書では、容器保持具をベッドボードに取り付けた際、容器側を「前」、ベッドボード側を「後」と規定する。また、容器からベッドボードを見て左および右を「左」、「右」と規定する。また、容器保持具をベッドボードに取り付けた状態の鉛直方向および水平方向を「鉛直」、「水平」と規定する。
基体３の右上端からは、第１フック５が右後方に向かって延びている。第１フック５は、基体３の右側線材から続く一体の線材でできている。第１フック５は、一本の線材を折曲して形成されており、基体３から鉛直方向にフック基端部５１が延び、フック基端部５１の上端で折曲されて水平方向に掛止部５３が延び、さらに、掛止部５３のフック先端側で折曲されて鉛直方向に垂下部５５が延びている。
第２フック７は、基体３の左上端から左後方に向かって延びており、第１フック５と同様に、フック基端部７１、掛止部７３、および垂下部７５からなる。
【００１０】
基体３の下端には、容器保持部９が設けられている。容器保持部９は、基体３と一体に形成された接続フック９１からなり、本実施例は、接続フック９１に嵌合させて接続する容器受け８をさらに備える。接続フック９１は、基体３の右側線材の下端を前面方向に折り返して反対方向に折曲し、鉛直方向に延びる線材と、同様に、基体３の左側線材の下端を前面方向に折り返して反対方向に折曲し、鉛直方向に延びる線材とが、所定の長さ上方でそれぞれ、水平方向に折曲されてつながることにより形成されている。基体３と接続フック９１の間には、隙間９２が存在する。
【００１１】
フック基端部５１の下端とフック基端部７１の下端とは、フック連結部１１で、溶接により連結されている。容器保持具をベッドボードに取り付ける際、フック基端部５１、７１をねじるときに、フック連結部１１の溶接部はねじりの基点となる。したがって、鉛直方向の溶接位置によって、フック基端部５１、７１に生じさせる弾性力を調節することが可能である。なお、本実施例では、フック連結部１１を備えた実施例を示したが、フック連結部１１は必要に応じて設けなくてもよい。
【００１２】
容器受け８は、合成樹脂で形成することができる。図２に示すとおり、容器受け８は、手指消毒液を収納した溶器を嵌入して固定するために容器の形状に整合させた円筒状の筒部８１および底板８２を有する。容器受け８の後面には、接続フック９１と嵌合するように直方体形状の接続部を有する。接続部の直方体形状の６面のうち、前面は筒部８１、後面は接続板８３、頂面は接続頂板８５、左右側面は接続側板８４により形成され、底面は開口になっている。接続フック９１を接続部底面の開口から嵌入し、接続板８３が隙間９２に嵌合することにより、容器受け８を容器保持具１に接続できる。なお、本実施例では、手指消毒液を収納した容器を示したが、容器は手指消毒液を収納した容器に限定されない。
【００１３】
容器保持具１は、折曲された一本の線材、および第１フック５のフック基端部５１と第２フック７のフック基端部７１を連結するフック連結部１１により形成されているため、簡単な構造であり、製造が容易になり、製造コストが小さくなる。
各フックの垂下部５５、７５は直線の線材で構成されている。容器保持具をベッドボードに取り付けた際、各フックの垂下部５５、７５は、ベッドボードの後面側が突起しない形状であるため、ベッドボードの後面側に患者等がいる場合にも、患者等にとって安全である。
また、容器が手押しポンプの場合は、容器保持具をベッドボードに取り付けた際に、ベッドボード頂部から手押しポンプのみ上方に出る位置関係になるように構成すると、掛止部５３、７３、またはベッドボードが邪魔にならずに手押しポンプを押すことができる。
【００１４】
本考案の容器保持具１は、前記のように構成されており、以下に、その使用態様について述べる。
【００１５】
（１）まず、容器保持具１をベッドボードに取り付ける。容器保持具１をベッドボードに取り付ける際には、第１フック５の垂下部５５と第２フック７の垂下部７５とを互いに近づく方向に手で付勢し、フック基端部５１、７１を中心軸として各フックを水平方向に弾性的に揺動させる（図３の１０２参照）。このとき、フック基端部５１、７１は、フック連結部１１の溶接部をねじりの基点として、弾性的にねじれている。そして、フックを揺動させることによって、各フック５、７と基体３との間の前後方向距離が、ベッドボードの厚さより大きくなるようにする。続いて、手で付勢したまま、容器保持具１をベッドボードの上方から引っ掛け、各フック５、７と基体３との間にベッドボードを介在させる。このとき、ベッドボードの上端と、掛止部５３、７３とが接することにより、容器保持具のベッドボードに対する鉛直方向の取り付け位置が決定される。
続いて、容器保持具から手を離し、付勢力を除去すると、各フックに働く弾性力により、第１フックの垂下部５５と第２フックの垂下部７５とが互いに離隔する方向にもどる。そして、垂下部５５と垂下部７５がベッドボードの後面に接した状態になる。各フックに弾性力が常時付勢されていることにより、基体３と各垂下部５５、７５とでベッドボードを弾性的に挟持することができる（図３の１０３参照）。
（２）次に、容器受け８を容器保持具１に接続する。接続フック９１を容器受け８の接続部底面の開口に嵌入させ、接続板８３を隙間９２に嵌合させる。
（３）次に、手指消毒液を収納した容器を容器受け８に収納する。
容器保持具を、ベッドボードに取り付けた状態を図４に示す。
一例として、上記の取り付け順序を示したが、上記（１）、（２）、（３）はどの順序で行ってもよい。
取り外す際は、上記取り付けの際と反対に、手指消毒液を収納した容器を容器受け８から取り外し、次に容器受け８を容器保持具１から取り外し、次に容器保持具をベッドボードから取り外せばよい。
【００１６】
以上、実施例により本考案を詳細に説明したが、本考案はこの実施例により限定されるものではなく、本考案の精神および請求項に記載された範囲を逸脱することなく変更や修正が可能である。
【００１７】
１  容器保持具
３  基体
５  第１フック
７  第２フック
８  容器受け
９  容器保持部
１１  フック連結部
５１、７１  フック基端部
５３、７３  掛止部
５５、７５  垂下部
８１  筒部
８２  底板
８３  接続板
８４  接続側板
８５  接続頂板
９１  接続フック
９２  隙間
１００  ベッドボード
１０１  取り付け前の状態
１０２  取り付け時、フックを手で付勢した状態
１０３  ベッドボードに取り付けた状態
【図１】
0003151726.tif 000003
【図２】
0003151726.tif 000004
【図３】
0003151726.tif 000005
【図４】
0003151726.tif 000006